(57)【要約】      （修正有）【課題】溶接作業不要で着脱自在の効果を備え、即座に組立てられる便利性を備え、且つ部品間に防水構造備えてＩＰ防水の目的を達成する着脱式ＬＥＤモジュール及び該ＬＥＤモジュールを備えた電飾装置を提供する。【解決手段】着脱式ＬＥＤモジュール及び該ＬＥＤモジュールを備えた電飾装置のうち、ＬＥＤモジュールは、ライト台１０、レンズ１１及びライトカバー３を含む。ライト台には設置面を設置し、レンズは回路板１１０、及び該回路板に設置する発光ダイオード１１１を含む。他に、ライトカバーは着脱自在でライト台上に設置し、レンズ外に被せ、且つライト台とライトカバー間には防水構造を設置する。そのうち，ライト台の設置面には第一コネクターを設置し、レンズの回路板には第二コネクターを設置し、前記第一コネクターは前記第二コネクターとピン方式でジョイント組立する。【選択図】図３
0003173044.tif 000002
【実用新案登録請求の範囲】
【請求項１】
着脱式ＬＥＤモジュールにおいて、
上部に設置面を備えたライト台と、
回路板、及び該回路板に設置した発光ダイオードを含むレンズと、及びライトカバーとを含み、
該ライトカバーは前記ライト台上に着脱自在で設置し、該レンズ外に被せ、且つ該ライト台と該ライトカバー間には防水構造を設置し、
そのうち、前記ライト台の設置面には第一コネクターを設置し、また前記レンズの回路板上には第二コネクターを設置し、前記第一コネクターは前記第二コネクターと共にピン方式でジョイント組み立てすることを特徴とする着脱式ＬＥＤモジュール。
【請求項２】
前記第一コネクターは差込孔であり、前記第二コネクターはピンであることを特徴とする請求項１記載の着脱式ＬＥＤモジュール。
【請求項３】
前記ライトカバーは、その最上部に設置する透光部、及び該透光部の下縁に環設するカバーリングを備え、該レンズの発光ダイオードは該透光部に向けることを特徴とする請求項１もしくは２記載の着脱式ＬＥＤモジュール。
【請求項４】
前記ライト台の設置面は、外縁に螺設部を環設し、他に該ライトカバーのカバーリングの内縁に対応する螺設部を環設し、該ライトカバーを着脱自在で該ライト台上に設置することを特徴とする請求項３記載の着脱式ＬＥＤモジュール。
【請求項５】
前記ライト台は、外側に凹んだ掛合孔部を設置し、他に該ライトカバーのカバーリングの外縁に相互に合う掛合凸を設置し、該ライトカバーを着脱自在で該ライト台上に設置することを特徴とする請求項３記載の着脱式ＬＥＤモジュール。
【請求項６】
前記防水構造は、Ｏリングであることを特徴とする請求項１記載の着脱式ＬＥＤモジュール。
【請求項７】
前記防水構造は、糊付けで構成されることを特徴とする請求項１記載の着脱式ＬＥＤモジュール。
【請求項８】
複数のＬＥＤモジュール、及び任意の二個のＬＥＤモジュール間に連接するケーブルを含むＬＥＤモジュールの電飾装置において、
そのうち、各該ＬＥＤモジュールは、設置面を成形し、該設置面上には第一コネクターを設置するライト台と、
回路板、及び該回路板上に設置する発光ダイオードを含み、且つ該回路板上には第二コネクターを設置し、前述第一コネクターは前述第二コネクターと共にピン方式で対応して組み立てるレンズとライトカバーを含み、
該ライトカバーは着脱自在で該ライト台上に組み立て、該レンズ外に被せ、且つ該ライト台と該ライトカバー間は防水構造で圧迫設置することを特徴とするＬＥＤモジュールの電飾装置。
【請求項９】
前記複数のＬＥＤモジュールと該ケーブルは、射出成形方式で直列成型することを特徴とする請求項８記載のＬＥＤモジュールの電飾装置。
【請求項１０】
前記ケーブルは、案内接続端を備え、且つ前述の案内接続端は該ＬＥＤモジュール上に設置することを特徴とする請求項８記載のＬＥＤモジュールの電飾装置。
【請求項１１】
前記第一コネクターは、差込孔であり、前述第二コネクターはピンであることを特徴とする請求項８、９もしくは１０記載のＬＥＤモジュールの電飾装置。
【請求項１２】
前記ライトカバーは、その最上部に設置する透光部、及び該透光部下縁に環設するカバーリングを備え、該レンズの発光ダイオードは該透光部に向けることを特徴とする請求項１１記載のＬＥＤモジュールの電飾装置。
【請求項１３】
前記ライト台は、設置面の外縁に螺設部を環設し、他に該ライトカバーのカバーリング内縁に対応する螺設部を環設し、該ライトカバーを着脱自在で該ライト台上に設置することを特徴とする請求項１２記載のＬＥＤモジュールの電飾装置。
【請求項１４】
前記ライト台は、外側に凹んだ掛合孔部を成形し、他に該ライトカバーのカバーリング外縁上には対応する掛合凸を設置し、該ライトカバーを着脱自在で該ライト台上に設置することを特徴とする請求項１２記載のＬＥＤモジュールの電飾装置。
【請求項１５】
前記防水構造はＯリングとすることを特徴とする請求項８記載のＬＥＤモジュールの電飾装置。
【請求項１６】
前記防水構造は、糊付けで構成されることを特徴とする請求項８記載のＬＥＤモジュールの電飾装置。
【考案の詳細な説明】
【技術分野】
【０００１】
本考案は、発光装置に関するもので、特に着脱式ＬＥＤモジュール及び該ＬＥＤモジュールを備えた電飾装置に係わる。
【背景技術】
【０００２】
ＬＥＤ（発光ダイオード）は、目下各照明もしくは発光表示等、例として各種照明器具に応用するか、もしくはディスプレイのバックライト等々に応用されている。また、伝統的なＬＥＤサークラインの多くはライトカバーとＬＥＤレンズを組み合わせた後、コード溶接糊付け、糊注水等作業を行ってＩＰ防水の目的を達成する。但し、実際の製品組立と応用には幾つかの問題がある。
【先行技術文献】
【特許文献】
【０００３】
【特許文献１】実用新案登録第３１５１４９７号公報
【考案の概要】
【考案が解決しようとする課題】
【０００４】
解決しようとする問題点は、以下の点である。
一、コード材が短く密集しているため、コード溶接が難しい。
二、ＬＥＤレンズとライトカバーは固定しにくく、且つ線材を連接する長さと重量が組立に影響する。
三、組立のコートが完成した後、仮にＬＥＤレンズが故障した場合、単独で部品の交換ができない。
四、単純に糊剤でＬＥＤレンズとライトカバーをパッケージングしても、防水機能は達成できず、且つ使用後の水漏れ問題がある。
五、糊剤でＬＥＤレンズとライトカバーをパッケージングした結合性は悪く、製品を使用した時に分離してしまう可能性がある。
【０００５】
上述を鑑み、本考案者は問題を改善するため、研究に専心し学理の運用に拠って、上述の欠点を改善する本考案を設計した。
【課題を解決するための手段】
【０００６】
本考案のうち、ＬＥＤモジュールは、ライト台、レンズ及びライトカバーを含む。ライト台には設置面を設置し、レンズは回路板、及び該回路板に設置する発光ダイオードを含む。他に、ライトカバーは着脱自在でライト台上に設置し、レンズ外に被せ、且つライト台とライトカバー間には防水構造を設置する。そのうち，ライト台の設置面には第一コネクターを設置し、レンズの回路板には第二コネクターを設置し、前記第一コネクターは前記第二コネクターとピン方式でジョイント組立することを最も主要な特徴とする。
【考案の効果】
【０００７】
本考案の着脱式ＬＥＤモジュール及び該ＬＥＤモジュールを備えた電飾装置は、溶接作業をしなくて済み、同時に着脱自在の効果を備え、更に即座に組立てられる便利性を備え、且つ部品間に防水構造を備えてＩＰ防水の目的を達成するという利点がある。
【図面の簡単な説明】
【０００８】
【図１】本考案の電飾装置の立体外観図である。
【図２】本考案のＬＥＤモジュールの立体分解図である。
【図３】本考案のＬＥＤモジュールの立体組立図である。
【図４】本考案のＬＥＤモジュールの断面指示図である。
【図５】本考案のＬＥＤモジュールとケーブルを取り外した断面指示図である。
【図６】本考案のＬＥＤモジュールの別実施例の立体分解図である。
【図７】本考案のＬＥＤモジュールの別実施例の立体組立図である。
【図８】本考案のＬＥＤモジュールの更に別の実施例の立体組立図である。
【図９】本考案のＬＥＤモジュールの更に別の実施例の立体組立図である。
【図１０】本考案のＬＥＤモジュールの防水構造で、糊付け構成された断面指示図である。
【考案を実施するための形態】
【０００９】
装着したＬＥＤのレンズをピン（Ｐｉｎ）方式で組み立てることにより、溶接作業をしなくて済み、同時に着脱自在の効果を備え、更に即座に組立てられる便利性を備え、且つ部品間に防水構造を備えてＩＰ防水の目的を達成する着脱式ＬＥＤモジュール及び該ＬＥＤモジュールを備えた電飾装置を提供することを本考案の主な目的とする。
【００１０】
着脱自在の優位性の他に、更に異なる型式のライトカバー、もしくは異なるＬＥＤ数量を備えたレンズを任意交換し、モジュール化を達成、もしくは部品の交換をしやすくする着脱式ＬＥＤモジュール及び該ＬＥＤモジュールを備えた電飾装置を提供することを本考案の別の目的とする。
【００１１】
上述の目的を達成するため、本考案は着脱式ＬＥＤモジュールを提供し、それはライト台、レンズ、及びライトカバーを含む。ライト台には設置面を成形し、またレンズは回路板、及び該回路板に設置する発光ダイオードを含む。他にライトカバーはライト台上に着脱式で組立て、レンズ外に被せる。更にライト台とライトカバー間には防水構造を設置する。そのうち、ライト台の設置面には第一コネクターを設置し、レンズの回路板上には第二コネクターを設置し、前述の第一コネクターは第二コネクターとピン方式でジョイント組み立てする。
【００１２】
上述の問題を達成するため、本考案はＬＥＤモジュールの電飾装置を提供し、複数の上述ＬＥＤモジュール及び任意二個のＬＥＤモジュール間に連接するケーブルを含む。ケーブルで各ＬＥＤモジュールを連接することに拠って、ＬＥＤモジュールの電飾装置を構成する。
【実施例１】
【００１３】
本考案の特徴及び技術内容を更に詳細に理解するため、図式を挙げて詳細な説明をする。しかしながら、図式は本考案の参考と説明のためであり、本考案を制限するものではない。
【００１４】
本考案は着脱式ＬＥＤモジュール及び該ＬＥＤモジュールを備えた電飾装置を提供する。図１に示すのは、本考案の電飾装置の立体外観図であり、該電飾装置は複数のＬＥＤモジュール１、及び任意二個のＬＥＤモジュール１間に連接するケーブル２を含む。また図２及び図３は、それぞれ本考案のＬＥＤモジュールの立体分解図及び立体組立図であり、該ＬＥＤモジュール１はライト台１０、レンズ１１及びライトカバー３を含む。
【００１５】
そのうち、該ライト台１０は通常絶縁材で構成され、上述ケーブル２に直列形態で連接し、またケーブル２の回路をその中に被せる（図４参照）。且つ該ライト台１０には設置面１００が成形され、上述レンズ１１を設置面１００に平置きする。該レンズ１１は回路板１１０、及び回路板１１０に設置する少なくとも一発光ダイオード（ＬＥＤ）１１１を含み、前述のレンズ１１を構成する。他に該ライトカバー３は、該ライト台１０上に着脱式で装着し、該レンズ１１外に被せて設置し、且つ該ライト台１０と該ライトカバー３間には防水構造１０１を設置する。該防水構造１０１はライト台１０とライトカバー３間に圧迫して設置するＯリング（Ｏ−Ｒｉｎｇ）(１０１)、もしくは糊付け構成したもの（図１０参照）であり、ＩＰ防水の目的を達成する。この他、該ライトカバー３はその最上部に透光部３０を備え、及び該透光部３０下縁周囲に環設するカバーリング３１を備え、該レンズ１１の発光ダイオード１１１は該透光部３０に向けて外向きに光源を投射する。
【００１６】
図４に示すとおり、本考案は主に、該ライト台１０の設置面１００に第一コネクター１０２を設置し、該レンズ１１の回路板１１０上に第二コネクター１１２を設置する。前述の第一コネクター１０２は前述の第二コネクター１１２と共にピン（Ｐｉｎ）で組み立てる。例として本考案に挙げる実施例では該第一コネクター１０２は差込孔（メス）で、該第二コネクター１１２はピン（オス）とする。このように差し込み方式によって、ライト台１０とレンズ１１を着脱式の目的を達成する。この他、各ＬＥＤモジュール１と各ケーブル２は射出成型方式によって一体直列成型（図４参照）を達成する他に、図５に示すとおり、各ケーブル２のその端部に案内接続端２０を設置して案内接続端２０をＬＥＤモジュール１に差し込んで、着脱式形態を構成する。
【００１７】
更に図２から図４に示すとおり、上述該ライトカバー３は着脱式で該ライト台１０と組み立てる。本実施例に於いて、着脱自在の設置とは、該ライト台１０の設置面１００外縁箇所に、螺設部１０３を環設し、その他ライトカバー３のカバーリング３１内縁箇所に相互に合わせた螺設部３１０を環設することで、二螺設部１０３、３１０を螺設方式で着脱式の目的を達成し、且つライトカバー３がライト台１０上にある時，該Ｏリングはライト台１０とライトカバー３間で圧迫して防水の目的を達成し、更に緩みを防止し、且つ修理しやすい。
【実施例２】
【００１８】
更に図６及び図７に示すとおり、上述該ライトカバー３は着脱式で該ライト台１０と組み立てる。別の一実施例では該ライト台１０外側に凹んだ掛合孔部１０４を設置し、更にライトカバー３のカバーリング３１外縁上に相互に合わせた掛合凸３２を設置し、掛合凸３２を掛合孔部１０４に入れて掛合方式で着脱式の目的を達成する。
【実施例３】
【００１９】
また、図８及び図９に示すとおり、上述の着脱式を元に、本考案では更に任意の異なる型式のライトカバー３（図８参照）の交換、もしくは異なるＬＥＤ数量のレンズ１１（図９参照）を備え、モジュール化を達成したり、部品の交換を簡易にしたりする。
【００２０】
上述の構造によって、本考案の着脱式ＬＥＤモジュール及び該ＬＥＤモジュールを備えた電飾装置を達成する。
【００２１】
上述のとおり、本考案は、多様な実用新案例を提出でき、予定の使用目的を達成して、公知の欠点を解決することができる。また、新奇性、進歩性が極めて高く実用新案申請の要件に完全に符合する。拠ってここに実用新案登録を申請する。
【００２２】
以上は本考案の実施可能の実施例であるが、それは本考案の請求範囲を制限しない。拠って本考案の説明書及び図式を元に運用した同効果構造変化は全て本考案の範囲に含むこととする。
【符号の説明】
【００２３】
１        ＬＥＤモジュール
１０        ライト台
１００        設置面
１０１        防水構造
１０２        第一コネクター
１０３        螺設部
１０４        掛合孔部
１１        レンズ
１１０        回路板
１１１        発光ダイオード
１１２        第二コネクター
２        ケーブル
２０        案内接続端
３        ライトカバー
３０        透光部
３１        カバーリング
３１０        螺設部
３２        掛合凸
【図１】
0003173044.tif 000003
【図２】
0003173044.tif 000004
【図３】
0003173044.tif 000005
【図４】
0003173044.tif 000006
【図５】
0003173044.tif 000007
【図６】
0003173044.tif 000008
【図７】
0003173044.tif 000009
【図８】
0003173044.tif 000010
【図９】
0003173044.tif 000011
【図１０】
0003173044.tif 000012